(57)【要約】【課題】低コスト化を図りやすいプロジェクターを提供すること。【解決手段】プロジェクターは、光学部品と、光学部品を収容する部品収容部材と、部品収容部材に組み合わされる蓋部材と、を備え、部品収容部材は、光学部品が配置される溝部と、溝部内に位置し、光学部品が当接される基準部と、基準部に対して傾斜して、溝部内に配置された光学部品が基準部に当接する位置に位置決めする第１傾斜部と、を有し、蓋部材は、基準部に光学部品を押圧する押圧部を有する。【選択図】図７
2018151460.tif 000002
【特許請求の範囲】
【請求項１】
光学部品と、
前記光学部品を収容する部品収容部材と、
前記部品収容部材に組み合わされる蓋部材と、を備え、
前記部品収容部材は、
前記光学部品が配置される溝部と、
前記溝部内に位置し、前記光学部品が当接される基準部と、
前記基準部に対して傾斜して、前記溝部内に配置された前記光学部品を前記基準部に当接する位置に位置決めする第１傾斜部と、を有し、
前記蓋部材は、前記基準部に前記光学部品を押圧する押圧部を有することを特徴とするプロジェクター。
【請求項２】
請求項１に記載のプロジェクターにおいて、
前記第１傾斜部は、前記基準部に向かうに従って前記蓋部材から離間する方向に傾斜していることを特徴とするプロジェクター。
【請求項３】
請求項１又は請求項２に記載のプロジェクターにおいて、
前記溝部の内面を形成し、前記基準部が位置する面の延長面と、前記第１傾斜部が有する傾斜面の延長面との交差角は、１０°以上、２５°以下の範囲内の角度であることを特徴とするプロジェクター。
【請求項４】
請求項１から請求項３のいずれか一項に記載のプロジェクターにおいて、
前記基準部は、前記溝部の内面において当該溝部に挿入される前記光学部品に対する光入射側の面及び光出射側の面のいずれかに位置し、
前記第１傾斜部は、前記部品収容部材において前記蓋部材と対向する底面部に位置することを特徴とするプロジェクター。
【請求項５】
請求項４に記載のプロジェクターにおいて、
前記基準部は、前記光入射側の面に位置することを特徴とするプロジェクター。
【請求項６】
請求項４又は請求項５に記載のプロジェクターにおいて、
前記第１傾斜部における前記基準部側の端部は、前記溝部の内面において前記基準部が位置する面から離間していることを特徴とするプロジェクター。
【請求項７】
請求項１から請求項６のいずれか一項に記載のプロジェクターにおいて、
前記第１傾斜部及び前記押圧部は、前記光学部品における光入射領域の外側部分に当接することを特徴とするプロジェクター。
【請求項８】
請求項１から請求項７のいずれか一項に記載のプロジェクターにおいて、
前記押圧部は、前記光学部品に当接し、前記蓋部材が前記部品収容部材と組み合わされた際に、前記基準部に向かうに従って前記蓋部材から前記部品収容部材に向かう方向の突出量が小さくなる第２傾斜部を有することを特徴とするプロジェクター。
【請求項９】
請求項８に記載のプロジェクターにおいて、
前記第２傾斜部は、前記基準部に向かう第１方向と、前記第１方向、及び、前記蓋部材から前記部品収容部材に向かう方向のそれぞれに交差する第２方向との少なくともいずれかの方向に沿って湾曲した曲面形状を有することを特徴とするプロジェクター。
【請求項１０】
請求項１から請求項９のいずれか一項に記載のプロジェクターにおいて、
前記蓋部材は、前記押圧部を複数有し、
複数の前記押圧部のうちの１つは、前記光学部品において前記蓋部材側の端部における一端側の部位を押圧し、
複数の前記押圧部のうちの他の１つは、前記光学部品において前記蓋部材側の端部における他端側の部位を押圧することを特徴とするプロジェクター。
【請求項１１】
請求項１から請求項１０のいずれか一項に記載のプロジェクターにおいて、
前記押圧部は、周囲が切り欠かれていることを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、形成された画像を拡大投射する投射光学装置と、を備えたプロジェクターが知られている。このようなプロジェクターとして、光源装置から出射された光の光路上に配置される複数の光学部品と、当該複数の光学部品を収容する光学部品用筐体と、を備えたプロジェクターが知られている（例えば、特許文献１参照）。
【０００３】
この特許文献１に記載のプロジェクターは、上記複数の光学部品の１つである反射ミラーと、当該反射ミラーが配置される光学部品用筐体（下ライトガイド及び上ライトガイド）と、を有する。これらのうち、光学部品用筐体は、反射ミラーが挿入される溝部が形成された突出部を有する。そして、溝部に挿入された反射ミラーは、当該反射ミラーの背面と光学部品用筐体の壁との間に挿入される板ばねによって、溝部内壁面に押圧されて保持される。
【先行技術文献】
【特許文献】
【０００４】
【特許文献１】特開２００５−４３６７９号公報
【発明の概要】
【発明が解決しようとする課題】
【０００５】
近年、プロジェクターに対する低コスト化の要望が高まっている。
このような要望に対し、上記特許文献１に記載のプロジェクターでは、反射ミラーを保持する板ばねを設ける必要があり、低コスト化を図りにくい。
また、板ばねが配置されるスペースを光学部品用筐体に設ける必要があることから、当該光学部品用筐体が大型化しやすいだけでなく、材料費や加工費が高くなりやすい。このため、光学部品用筐体の製造コストの低減を図りにくい。
更に、上記板ばねによって押圧される領域を反射ミラーに確保する必要があり、当該反射ミラーが大型化して、製造コストが高くなりやすい。
これらのことから、低コスト化を図りやすいプロジェクターの構成が要望されていた。
【０００６】
本発明は、上記課題の少なくとも一部を解決することを目的としたものであり、低コスト化を図りやすいプロジェクターを提供することを目的の１つとする。
【課題を解決するための手段】
【０００７】
本発明の一態様に係るプロジェクターは、光学部品と、前記光学部品を収容する部品収容部材と、前記部品収容部材に組み合わされる蓋部材と、を備え、前記部品収容部材は、前記光学部品が配置される溝部と、前記溝部内に位置し、前記光学部品が当接される基準部と、前記基準部に対して傾斜して、前記溝部内に配置された前記光学部品を前記基準部に当接する位置に位置決めする第１傾斜部と、を有し、前記蓋部材は、前記基準部に前記光学部品を押圧する押圧部を有することを特徴とする。
【０００８】
このような構成によれば、部品収容部材が有する第１傾斜部、及び、蓋部材が有する押圧部によって、溝部内に位置する基準部に光学部品を保持できるので、上記板ばね等の付勢部材を用いる必要がない。このため、プロジェクターの部品点数を削減できる。この他、当該付勢部材によって押圧される押圧領域を光学部品に設ける必要がないので、光学部品及び部品収容部材を小型化できる。
従って、これら光学部品及び部品収容部材の製造コストを低減しやすくすることができ、ひいては、プロジェクターの小型化及び低コスト化を図ることができる。
【０００９】
上記一態様では、前記第１傾斜部は、前記基準部に向かうに従って前記蓋部材から離間する方向に傾斜していることが好ましい。
このような構成によれば、蓋部材側から溝部に挿入された光学部品を、第１傾斜部によって基準部側に移動させることができる。従って、基準部に当接する位置に光学部品を位置させやすくすることができ、光学部品の位置決めを容易に実施できる。
【００１０】
上記一態様では、前記溝部の内面を形成し、前記基準部が位置する面の延長面と、前記第１傾斜部が有する傾斜面の延長面との交差角は、１０°以上、２５°以下の範囲内の角度であることが好ましい。
ここで、上記交差角が１０°未満である場合、基準部に向かう方向における光学部品の寸法や、基準部と第１傾斜部との間の寸法が、公差等によって設計寸法と異なった場合、基準部に当接した光学部品の位置が、当該光学部品の溝部への挿入方向における設計上の位置から大きく変わりやすい。
また、上記交差角が２５°を超える場合、光学部品の種類によっては、上記傾斜面に当該光学部品の端部が引っ掛かって、当該光学部品が基準部に当接する位置に位置決めされない可能性が生じる。例えば、光学部品が板状のミラーである場合には、このような問題は顕著となる。
これに対し、上記交差角を上記範囲内の角度とすることにより、光学部品を設計上の位置に配置させやすくすることができる。従って、プロジェクターによる画像投射を適切に実施でき、当該プロジェクターの信頼性を向上させることができる。
【００１１】
上記一態様では、前記基準部は、前記溝部の内面において当該溝部に挿入される前記光学部品に対する光入射側の面及び光出射側の面のいずれかに位置し、前記第１傾斜部は、前記部品収容部材において前記蓋部材と対向する底面部に位置することが好ましい。
ここで、プロジェクターに適用される光学部品は、予め設定された照明光軸上の所定位置に配置される必要がある。一方、光学部品によっては、当該所定位置に配置されていれば、照明光軸に対する直交方向の位置は、それほど問題にならない場合がある。例えば、第１色光を透過させ、第２色光を反射させるダイクロイックミラーについては、上記所定位置に配置される必要があるが、上記直交方向に多少ずれても大きな問題はない。
これに対し、上記構成によれば、光学部品が押圧される基準部が、上記光入射側の面及び上記光出射側の面のいずれかに位置するので、当該光学部品を上記配置位置に配置しやすくすることができる。
また、第１傾斜部が、上記底面部に位置することにより、溝部に挿入された光学部品を第１傾斜部に当接させやすくすることができる。従って、この点においても、上記配置位置に、光学部品を配置しやすくすることができる。
【００１２】
上記一態様では、前記基準部は、前記光入射側の面に位置することが好ましい。
ここで、プロジェクターに適用される光学部品によっては、光入射面が上記配置位置に位置する必要がある。このような光学部品が当接される基準部が上記光出射側の面に位置していると、光学部品の厚さ寸法に誤差が生じた場合に、当該光学部品の光入射面の位置が当該配置位置からずれる可能性がある。
これに対し、上記構成によれば、上記誤差が生じた場合でも、光入射面が上記配置位置に位置するように、光学部品を配置できる。従って、プロジェクターによる画像投射を適切に実施でき、当該プロジェクターの信頼性を向上させることができる。
【００１３】
上記一態様では、前記第１傾斜部における前記基準部側の端部は、前記溝部の内面において前記基準部が位置する面から離間していることが好ましい。
換言すると、上記基準部側の端部は、当該基準部が位置する面と直接接続されていないことが好ましい。
ここで、基準部が位置する面と第１傾斜部が直接接続されている場合、光学部品が基準部に当接した状態では、第１傾斜部において光学部品との当接部位から基準部側の領域は、光学部品の位置決めに使われないデッドスペースとなる。このようなデッドスペースは、蓋部材から離間する方向における部品収容部材の寸法を大きくする。
これに対し、上記構成によれば、上記デッドスペースの発生を抑制でき、部品収容部材を小型化できる。従って、部品収容部材、ひいては、プロジェクターの低コスト化及び小型化を図ることができる。
【００１４】
上記一態様では、前記第１傾斜部及び前記押圧部は、前記光学部品における光入射領域の外側部分に当接することが好ましい。
なお、外側部分としては、光学部品の隅部近傍の位置を例示できる。
このような構成によれば、第１傾斜部及び押圧部によって、光学部品に入射される光や、当該光学部品を通過した光が遮蔽されることを抑制できる。
なお、光学部品において隅部近傍の位置は、使われないマージン部分となっていることが多い。このことから、当該隅部近傍の位置に第１傾斜部及び押圧部が当接する当接部位を設定することにより、光学部品の寸法を最小限の寸法とすることができる。従って、この場合には、光学部品、ひいては、プロジェクターの小型化及び低コスト化を図ることができる。
【００１５】
上記一態様では、前記押圧部は、前記光学部品に当接し、前記蓋部材が前記部品収容部材と組み合わされた際に、前記基準部に向かうに従って前記蓋部材から前記部品収容部材に向かう方向の突出量が小さくなる第２傾斜部を有することが好ましい。
なお、蓋部材から部品収容部材に向かう方向は、溝部に対する光学部品の挿入方向と一致する。
このような構成によれば、蓋部材が部品収容部材と組み合わされた際に、第２傾斜部によって、光学部品を上記基準部に押圧できる。従って、光学部品を基準部に確実に保持できる。
【００１６】
上記一態様では、前記第２傾斜部は、前記基準部に向かう第１方向と、前記第１方向、及び、前記蓋部材から前記部品収容部材に向かう方向のそれぞれに交差する第２方向との少なくともいずれかの方向に沿って湾曲した曲面形状を有することが好ましい。
このような構成によれば、第２傾斜部が光学部品の端部に引っ掛かることを抑制できる。従って、光学部品を基準部に確実に押圧でき、当該光学部品を確実に保持できる。
【００１７】
上記一態様では、前記蓋部材は、前記押圧部を複数有し、複数の前記押圧部のうちの１つは、前記光学部品において前記蓋部材側の端部における一端側の部位を押圧し、複数の前記押圧部のうちの他の１つは、前記光学部品において前記蓋部材側の端部における他端側の部位を押圧することが好ましい。
このような構成によれば、複数の押圧部が、互いに離れた位置にて１つの光学部品を押圧するので、当該光学部品を安定して押圧できる他、上記挿入方向に沿う軸を中心とする光学部品の回動を規制できる。従って、当該光学部品を安定して保持できる。
【００１８】
上記一態様では、前記押圧部は、周囲が切り欠かれていることが好ましい。
このような構成によれば、上記挿入方向に沿う方向への弾性（可撓性）を押圧部に付与できる。従って、蓋部材が部品収容部材と組み合わされた際に、押圧部が所定の押圧力で光学部品を押圧できる。従って、簡易な構成にて、光学部品を安定して保持できる。
【図面の簡単な説明】
【００１９】
【図１】本発明の一実施形態に係るプロジェクターの構成を示す模式図。
【図２】上記実施形態における光学部品用筐体を示す平面図。
【図３】上記実施形態における部品収納部材の内部構成を示す平面図。
【図４】上記実施形態における部品収納部材の内部構成を示す平面図。
【図５】上記実施形態における部品収納部材の一部を拡大して示す平面図。
【図６】上記実施形態における蓋部材を部品収納部材側から見た図。
【図７】図２のＡ−Ａ線断面における光学部品用筐体の一部を示す図。
【図８】上記実施形態におけるダイクロイックミラーでの光入射領域及び遮蔽領域を模式的に示す図。
【図９】上記実施形態における画像投射装置に対する比較例を示す平面図。
【図１０】上記実施形態における押圧部の変形を示す斜視図。
【発明を実施するための形態】
【００２０】
以下、本発明の一実施形態について、図面に基づいて説明する。
［プロジェクターの概略構成］
図１は、本実施形態に係るプロジェクター１の構成を示す模式図である。
本実施形態に係るプロジェクター１は、内部に設けられた光源装置３０から出射された光を変調して画像情報に応じた画像を形成し、当該画像をスクリーン等の被投射面上に拡大投射する。このプロジェクター１は、図１に示すように、外装筐体２と、当該外装筐体２内に収容される装置本体と、を備える。このようなプロジェクター１は、後述する光学部品用筐体４の構成に特徴の１つを有する。
【００２１】
［装置本体の構成］
装置本体は、画像投射装置３を備える。この他、装置本体は、図示を省略するが、プロジェクター１の動作を制御する制御装置、電子部品に電力を供給する電源装置、及び、冷却対象を冷却する冷却装置を備える。
【００２２】
［画像投射装置の構成］
画像投射装置３は、上記制御装置による制御の下、画像情報に応じた画像を形成及び投射する。この画像投射装置３は、光源装置３０、均一化装置３１、色分離装置３２、リレー装置３３、画像形成装置３４、投射光学装置３５及び光学部品用筐体４と、を備え、全体として略Ｌ字状の光学ユニットとして構成されている。
【００２３】
［光源装置の構成］
光源装置３０は、均一化装置３１に白色の照明光を出射する。この光源装置３０は、本実施形態では、ＬＤ（Laser Diode）やＬＥＤ（Light Emitting Diode）等の固体光源と、当該固体光源から出射された光の波長を変換する波長変換装置と、を有する。しかしながら、これに限らず、光源装置３０は、超高圧水銀ランプ等の放電光源ランプを有する構成であってもよい。すなわち、光源装置３０の構成は問わない。
【００２４】
［均一化装置の構成］
均一化装置３１は、光源装置３０から入射される照明光の中心軸に対する直交面内の照度を均一化する。この均一化装置３１は、当該照明光の入射順に、第１レンズアレイ３１１、調光装置３１２、第２レンズアレイ３１３、偏光変換素子３１４及び重畳レンズ３１５を有する。
【００２５】
第１レンズアレイ３１１は、小レンズである第１レンズ３１１１が上記直交面内にマトリクス状に複数配列された構成を有する。この第１レンズアレイ３１１は、各第１レンズ３１１１によって、入射される照明光を複数の部分光束に分割する。
調光装置３１２は、レンズアレイ３１１，３１３の間に配置される。この調光装置３１２は、第１レンズアレイ３１１から第２レンズアレイ３１３に入射される部分光束の一部を遮蔽し、これにより、後述する光変調装置３４３に入射される光量を調整する。なお、調光装置３１２は、無くてもよい。
【００２６】
第２レンズアレイ３１３は、上記第１レンズ３１１１に対応する小レンズである第２レンズ３１３１が上記直交面内にマトリクス状に複数配列された構成を有する。これら第２レンズ３１３１は、対応する第１レンズ３１１１から入射される部分光束を、重畳レンズ３１５とともに、後述する光変調装置３４３に重畳させる。
偏光変換素子３１４は、第２レンズアレイ３１３から入射される複数の部分光束の偏光方向を揃えて重畳レンズ３１５に出射する。
【００２７】
［色分離装置の構成］
色分離装置３２は、均一化装置３１から入射される光束を、赤（Ｒ）、緑（Ｇ）及び青（Ｂ）の３つの色光に分離する。この色分離装置３２は、それぞれ板状のダイクロイックミラー３２１，３２３及び反射ミラー３２２と、レンズ３２４，３２５と、を有する。
ダイクロイックミラー３２１は、青色光を反射させ、緑色光及び赤色光を透過させる。
反射ミラー３２２は、ダイクロイックミラー３２１にて分離されてレンズ３２４を介して入射される青色光を、青色光用のフィールドレンズ３４１に向けて反射させる。
ダイクロイックミラー３２３は、ダイクロイックミラー３２１にて分離されてレンズ３２５を介して入射される緑色光及び赤色光のうち、緑色光を反射させ、赤色光を透過させる。この緑色光は、緑色光用のフィールドレンズ３４１に入射され、赤色光は、リレー装置３３に入射される。
【００２８】
［リレー装置の構成］
リレー装置３３は、青色光及び緑色光に比べて光路が長い赤色光の光路上に設けられる。このリレー装置３３は、入射側レンズ３３１、リレーレンズ３３３及び反射ミラー３３２，３３４を有する。このリレー装置３３によって導かれた赤色光は、赤色光用のフィールドレンズ３４１に入射される。
【００２９】
［画像形成装置の構成］
画像形成装置３４は、色分離装置３２によって分離された各色光を画像情報に応じて変調した後、当該各色光を合成して画像光を形成する。この画像形成装置３４は、色光毎に設けられるフィールドレンズ３４１、入射側偏光板３４２、光変調装置３４３及び出射側偏光板３４４と、各光変調装置３４３によって変調された各色光を合成する１つの色合成装置３４５と、を有する。
これらのうち、光変調装置（赤、緑及び青用の光変調装置をそれぞれ３４３Ｒ，３４３Ｇ，３４３Ｂとする）は、本実施形態では、液晶パネルを有する構成が採用されている。
色合成装置３４５は、本実施形態ではクロスダイクロイックプリズムにより構成されているが、複数のダイクロイックミラーを組み合わせた構成としてもよい。
【００３０】
［投射光学装置の構成］
投射光学装置３５は、画像形成装置３４から入射される画像光を上記被投射面上に拡大投射する。この投射光学装置３５は、図示を省略するが、複数のレンズと、当該複数のレンズを収容する鏡筒と、を有する組レンズとして構成できる。
【００３１】
［光学部品用筐体の構成］
図２は、光学部品用筐体４を示す平面図である。
光学部品用筐体４は、上記装置３１〜３３を構成する光学部品を内部に収容する。
ここで、画像投射装置３には、設計上の光軸である照明光軸Ａｘが設定されている。このため、光学部品用筐体４は、当該照明光軸Ａｘにおける所定位置に、上記装置３１〜３３を構成する光学部品を保持する。このような光学部品用筐体４は、図２に示すように、上記光学部品が配置され、当該光学部品を収容する部品収容部材としての部品収納部材５と、当該部品収納部材５に取り付けられる蓋部材６と、を備えて構成される。
なお、図２において図示しない光源装置３０、画像形成装置３４及び投射光学装置３５は、当該照明光軸Ａｘにおける所定位置に配置される。
【００３２】
以下の説明では、上記光源装置３０から出射された光の進行方向を＋Ｚ方向とし、当該＋Ｚ方向に直交し、かつ、互いに直交する二方向を＋Ｘ方向及び＋Ｙ方向とする。これらのうち、＋Ｘ方向を、ダイクロイックミラー３２３にて反射された緑色光の進行方向とし、＋Ｙ方向を、部品収納部材５から蓋部材６に向かう方向とする。換言すると、＋Ｘ方向は、ダイクロイックミラー３２１にて反射された青色光の進行方向、及び、反射ミラー３３２にて反射された赤色光の進行方向と一致し、更には、＋Ｙ方向側から見て投射光学装置３５による画像光の投射方向と一致する。
また、図示を省略するが、＋Ｚ方向とは反対方向を−Ｚ方向とする。−Ｘ方向及び−Ｙ方向も同様である。
【００３３】
［部品収納部材の構成］
図３及び図４は、部品収納部材５の内部構成を示す平面図である。これらのうち、図３では、部品収納部材５の内部に配置される光学部品を図示し、図４では、当該光学部品の図示を省略している。
部品収納部材５は、図３及び図４に示すように、合成樹脂や金属により略Ｕ字状に形成された箱状筐体である。この部品収納部材５は、底面部５Ａと、当該底面部５Ａの周縁から起立する側壁５Ｂと、当該側壁５Ｂによって端縁が形成され、上記光学部品を部品収納部材５の内部に挿入するための開口部５Ｃと、を有する。この開口部５Ｃは、蓋部材６によって閉塞される。
このような部品収納部材５は、上記装置３１〜３３を構成する光学部品、及び、画像形成装置３４のフィールドレンズ３４１が収容される収容部５１〜５４を有する。これら収容部５１〜５４は、上記側壁５Ｂに形成され、対応する光学部品が挿入される複数の溝部を、内部に有する。
これらのうち、緑用及び青用のフィールドレンズ３４１を収容する収容部５４は、当該レンズ３４１の一端及び他端を保持する溝部５４１及び段差部５４２を有し、赤用のフィールドレンズ３４１を収容する収容部５４は、当該レンズ３４１の一端及び他端を保持する溝部５４１，５４３を有する。
なお、均一化装置３１が収容される収容部５１については、説明を省略する。
【００３４】
［色分離装置が収容される収容部］
色分離装置３２が収容される収容部５２は、ミラー配置部５２１〜５２３及びレンズ配置部５２４，５２５を有する。
これらのうち、レンズ配置部５２４は、レンズ３２４における＋Ｚ方向側の端部及び−Ｚ方向側の端部が挿入される一対の溝部５２４１，５２４２を有する。また、レンズ配置部５２５は、レンズ３２５における＋Ｘ方向側の端部及び−Ｘ方向側の端部が挿入される一対の溝部５２５１，５２５２を有する。
なお、反射ミラー３２２は、反射された青色光をフィールドレンズ３４１に入射させる必要があるため、当該反射ミラー３２２が配置されるミラー配置部５２２は、反射ミラー３２２を位置調整可能に構成されている。
【００３５】
図５は、部品収納部材５の一部を拡大して示す平面図である。なお、図５においては、ミラー３２１，３２３を二点鎖線にて示している他、見易さを考慮して、底面部５Ａにおける段差等を示す線を一部省略している。
ミラー配置部５２１は、ダイクロイックミラー３２１（以下、ミラー３２１と略す場合がある）における＋Ｘ方向側の端部及び−Ｘ方向側の端部（換言すると、＋Ｚ方向側の端部及び−Ｚ方向側の端部）が挿入される溝部５２１１，５２１２を有する。
このミラー配置部５２１は、図３〜図５に示すように、ミラー３２１が−Ｙ方向に沿って溝部５２１１，５２１２に挿入された際に、溝部５２１１，５２１２における光入射側の面に位置する基準部ＳＴ（図５）に当接するように当該ミラー３２１を位置決めする傾斜部５２１３，５２１４を有する。
【００３６】
これら傾斜部５２１３，５２１４のうち、傾斜部５２１３は、底面部５Ａにおいて溝部５２１１近傍の部位に位置し、傾斜部５２１４は、同じく底面部５Ａにおいて溝部５２１２近傍の部位に位置する。換言すると、傾斜部５２１３は、ミラー３２１の−Ｙ方向側の端部における＋Ｘ方向側の端部近傍の部位が当接する位置に設けられ、傾斜部５２１４は、−Ｘ方向側の端部近傍の部位が当接する位置に設けられている。これら傾斜部５２１３，５２１４は、対応する上記基準部ＳＴ（光入射側）に向かうに従って蓋部材６とは反対側（−Ｙ方向側）に傾斜している。すなわち、傾斜部５２１３，５２１４は、当該基準部ＳＴに向かうに従って蓋部材６から離間する方向（−Ｙ方向側）に傾斜している。
【００３７】
これら傾斜部５２１３，５２１４によって、溝部５２１１，５２１２に挿入されたミラー３２１における−Ｙ方向側の端部が、基準部ＳＴに近接する方向に移動される。これにより、ミラー３２１は、ミラー３２１の光入射面における−Ｙ方向側の端部が基準部ＳＴに当接する位置に位置決めされる。一方、詳しくは後述するが、ミラー３２１における＋Ｙ方向側の端部は、蓋部材６に設けられた押圧部６３（図６参照）によって基準部ＳＴ側に押圧される。
なお、基準部ＳＴが位置する上記面に対する傾斜部５２１３，５２１４の傾斜角は、後に詳述する。
【００３８】
ミラー配置部５２３は、同じくダイクロイックミラー３２３（以下、ミラー３２３と略す場合がある）における＋Ｘ方向側の端部及び−Ｘ方向側の端部（換言すると、＋Ｚ方向側の端部及び−Ｚ方向側の端部）が−Ｙ方向に沿って挿入される溝部５２３１，５２３２を有する。
この他、ミラー配置部５２３は、−Ｙ方向に沿って溝部５２３１，５２３２に挿入されたミラー３２３を、これら溝部５２３１，５２３２における光入射側の面に位置する基準部ＳＴ（図５）に当接する位置に位置決めする傾斜部５２３３，５２３４を有する。
【００３９】
傾斜部５２３３，５２３４は、底面部５Ａにおいて、ミラー３２３の−Ｙ方向側の端部における＋Ｘ方向側の端部近傍の部位及び−Ｘ方向側の端部近傍の部位に当接する位置に設けられている。これら傾斜部５２３３，５２３４も、上記基準部ＳＴに向かうに従って蓋部材６とは反対側（−Ｙ方向側）に傾斜している。すなわち、傾斜部５２３３，５２３４は、当該基準部ＳＴに向かうに従って蓋部材６から離間する方向（−Ｙ方向側）に傾斜している。
【００４０】
これら傾斜部５２３３，５２３４によって、ミラー３２３の光入射面における−Ｙ方向側の端部が基準部ＳＴに当接する位置に、当該ミラー３２３は位置決めされる。一方、詳しくは後述するが、ミラー３２３における＋Ｙ方向側の端部は、蓋部材６に設けられた押圧部６３（図６参照）によって基準部ＳＴ側に押圧される。
【００４１】
［リレー装置が収容される収容部］
リレー装置３３が収容される収容部５３は、図３及び図４に示すように、レンズ配置部５３１，５３３及びミラー配置部５３２，５３４を有する。
レンズ配置部５３１は、入射側レンズ３３１における＋Ｘ方向側の端部及び−Ｘ方向側の端部が挿入される一対の溝部５３１１，５３１２を有する。また、レンズ配置部５３３は、リレーレンズ３３３における＋Ｚ方向側の端部及び−Ｚ方向側の端部が挿入される一対の溝部５３３１，５３３２を有する。
なお、ミラー配置部５３４は、上記ミラー配置部５２２と同様に、反射ミラー３３４を位置調整可能に構成されている。
【００４２】
ミラー配置部５３２は、反射ミラー３３２における＋Ｘ方向側の端部及び−Ｘ方向側の端部（換言すると、＋Ｚ方向側の端部及び−Ｚ方向側の端部）が挿入される溝部５３２１，５３２２を有する。
また、ミラー配置部５３２は、−Ｙ方向に沿って溝部５３２１，５３２２に挿入された反射ミラー３３２を、当該溝部５３２１，５３２２の内面において光入射側とは反対側の面に位置する基準部ＳＴに当接する位置に位置決めする傾斜部５３２３，５３２４を有する。
【００４３】
傾斜部５３２３，５３２４も、底面部５Ａにおいて、反射ミラー３３２の−Ｙ方向側の端部における＋Ｘ方向側（＋Ｚ方向側）の端部近傍の部位及び−Ｘ方向側（−Ｚ方向側）の端部近傍の部位に当接する位置に設けられている。これら傾斜部５３２３，５３２４は、上記基準部ＳＴに向かうに従って蓋部材６とは反対側（−Ｙ方向側）に傾斜している。すなわち、傾斜部５３２３，５３２４は、当該基準部ＳＴに向かうに従って蓋部材６から離間する方向（−Ｙ方向側）に傾斜している。
このような傾斜部５３２３，５３２４によって、光入射面とは反対側の面における−Ｙ方向側の端部が基準部ＳＴに当接される位置に、反射ミラー３３２が位置決めされる。一方、詳しくは後述するが、反射ミラー３３２における＋Ｙ方向側の端部は、蓋部材６に設けられた押圧部６４（図６参照）によって基準部ＳＴに押圧される。
【００４４】
［蓋部材の構成］
図６は、蓋部材６を部品収納部材５側（−Ｙ方向側）から見た図である。なお、図６においては、ミラー３２１，３２３及び反射ミラー３３２を二点鎖線にて示している。
蓋部材６は、図２に示すように、＋Ｙ方向側から部品収納部材５に取り付けられ、当該部品収納部材５の開口部５Ｃ（図３及び図４参照）を閉塞する。この蓋部材６は、図２及び図６に示すように、部品収納部材５と組み合わされた際に、上記反射ミラー３２２，３３４の一部に応じた切欠６１を有する。これら切欠６１を介して光学部品用筐体４の外部から反射ミラー３２２，３３４の位置調整が可能である。
このような蓋部材６は、一部を残して周囲が切り欠かれることによって＋Ｙ方向に沿う弾性変形が可能な複数の押圧部６２〜６４を有し、当該複数の押圧部６２〜６４によって、部品収納部材５内に配置された光学部品が押圧されて保持される。
【００４５】
［レンズを押圧する押圧部］
押圧部６２は、部品収納部材５と組み合わされた際に、重畳レンズ３１５、レンズ３２４，３２５、入射側レンズ３３１及びリレーレンズ３３３に応じてそれぞれ２つずつ設けられている。これら押圧部６２は、レンズ３１５，３２４，３２５，３３１，３３３のうち押圧対象である対象レンズを光出射側に押圧付勢する傾斜部６２１を、当該押圧部６２の先端部（周囲が切り欠かれていない基端部とは反対側の端部）に有する。この先端部は、押圧部６２が弾性変形する際の移動端である。
【００４６】
傾斜部６２１は、対象レンズの光出射側に向かうに従って部品収納部材５とは反対側（＋Ｙ方向側）に傾斜している。換言すると、傾斜部６２１は、対象レンズの光出射側（当該対象レンズの保持位置を決める基準部）に向かうに従って、蓋部材６から部品収納部材５に向かう方向（−Ｙ方向）の突出量が小さくなるように傾斜している。このような傾斜部６２１によって、各押圧部６２は、対象レンズが挿入される溝部の内面における光出射側の面（基準面）に向けて、当該対象レンズを押圧付勢する。これにより、対象レンズが保持される。
例えば、レンズ３２５を押圧する２つの押圧部６２Ａのうち、＋Ｘ方向側に位置する押圧部６２Ａは、当該レンズ３２５の＋Ｙ方向側で＋Ｘ方向側の端部を光出射側（＋Ｚ方向側）に押圧し、−Ｘ方向側に位置する押圧部６２Ａは、−Ｘ方向側の端部を光出射側に押圧する。
【００４７】
［ダイクロイックミラーを押圧する押圧部］
押圧部６３は、部品収納部材５と組み合わされた際に、ミラー３２１，３２３に応じてそれぞれ２つずつ設けられている。これら押圧部６３は、ミラー３２１，３２３の傾斜に合わせて、＋Ｘ方向及び＋Ｚ方向に対して４５°傾斜するように延出している。
このような押圧部６３は、ミラー３２１，３２３のうち押圧対象である対象ミラーを光入射側に押圧付勢する傾斜部６３１（第２傾斜部）を、先端部（周囲が切り欠かれていない基端部とは反対側の端部）に有する。この先端部も、押圧部６３が弾性変形する際の移動端である。
【００４８】
傾斜部６３１は、対象ミラーの光入射側に向かうに従って部品収納部材５とは反対側（＋Ｙ方向側）に傾斜している。すなわち、傾斜部６３１は、当該対象ミラーに対応する基準部ＳＴに向かうに従って蓋部材６から部品収納部材５に向かう方向（−Ｙ方向）の突出量が小さくなるように傾斜している。この傾斜部６３１の表面の面内方向において対象ミラーに近接する方向に対する直交方向（交差方向）の両端は、面取されている。これにより、当該両端に対象ミラーの端部に引っ掛かることが抑制されている。
このような傾斜部６３１によって、各押圧部６３は、対象ミラーに対応する上記基準部ＳＴに向けて、当該対象ミラーを押圧する。
例えば、ミラー３２３を押圧する２つの押圧部６３のうち、＋Ｘ方向側に位置する押圧部６３は、当該ミラー３２３の＋Ｙ方向側で＋Ｘ方向側の端部を−Ｚ方向側（光入射側）に押圧し、−Ｘ方向側に位置する押圧部６３は、＋Ｙ方向側で−Ｘ方向側の端部を＋Ｚ方向側に押圧する。
【００４９】
なお、ミラー３２３の＋Ｘ方向側の端部を押圧する押圧部６３の周囲は、他の押圧部６３の周囲が略Ｕ字状に切り欠かれているのに対して略Ｌ字状に切り欠かれている。これは、蓋部材６においてフィールドレンズ３４１に対応する位置に設けられた部材を避けるための措置である。
【００５０】
［反射ミラーを押圧する押圧部］
押圧部６４は、部品収納部材５と組み合わされた際に、反射ミラー３３２に応じて２つ設けられている。これら押圧部６４も、反射ミラー３３２の傾斜に合わせて、＋Ｘ方向及び＋Ｚ方向に対して４５°傾斜するように延出している。
これら押圧部６４は、上記押圧部６３と同様に、反射ミラー３３２を光入射側とは反対側に向けて押圧付勢する傾斜部６４１（第２傾斜部）を、先端部（周囲が切り欠かれていない基端部とは反対側の端部）に有する。この先端部も、押圧部６４が弾性変形する際の移動端である。
【００５１】
この傾斜部６４１は、反射ミラー３３２の光入射側とは反対側に向かうに従って部品収納部材５とは反対側（＋Ｙ方向側）に傾斜している。すなわち、傾斜部６４１は、反射ミラー３３２に対応する基準部ＳＴに向かうに従って蓋部材６から部品収納部材５に向かう方向（−Ｙ方向）の突出量が小さくなるように傾斜している。なお、傾斜部６４１の表面の面内方向において反射ミラー３３２に近接する方向に対する直交方向（交差方向）の両端も、傾斜部６３１と同様に面取りされている。
このような傾斜部６４１によって、＋Ｘ方向側に位置する押圧部６４は、反射ミラー３３２の＋Ｙ方向側で＋Ｘ方向側の端部を、溝部５３２１の基準部ＳＴに向けて押圧付勢し、−Ｘ方向側に位置する押圧部６４は、−Ｘ方向側の端部を、溝部５３２２の基準部ＳＴに向けて押圧付勢する。
【００５２】
なお、２つの押圧部６４の周囲は、連続した略Ｓ字状の１つの切欠６５によって切り欠かれている。これは、反射ミラー３３２における＋Ｙ方向側の端部の寸法（＋Ｘ方向及び＋Ｚ方向に対する傾斜方向の寸法）が、上記ミラー３２１，３２３に比べて小さいことから、Ｕ字状の切欠によって各押圧部６４の周囲を切り欠くと、当該各押圧部６４に必要な弾性を付与できないためである。
これに対し、Ｓ字状の切欠６５によって各押圧部６４の周囲を切り欠くことによって、当該各押圧部６４の寸法（上記基端部から先端部までの寸法）を長くすることができ、各押圧部６４に反射ミラー３３２を押圧するのに必要な弾性を付与できる。
【００５３】
［傾斜部及び押圧部によるミラーの保持］
図７は、光学部品用筐体４の図２におけるＡ−Ａ線断面の一部を示す図である。詳述すると、図７は、ミラー３２３の中心を通り、かつ、当該ミラー３２３の光入射面に直交する平面に沿う光学部品用筐体４の断面を−Ｘ方向側で−Ｚ方向側から見た図である。
ミラー３２３は、部品収納部材５のミラー配置部５２３と、蓋部材６に設けられた押圧部６３とによって、以下のように保持される。
画像投射装置３の製造時等においては、ミラー３２３は、図７に示すように、開口部５Ｃを介して溝部５２３１，５２３２（図７では溝部５２３２は図示省略）に＋Ｙ方向側から挿入される。これにより、ミラー３２３における−Ｙ方向側で＋Ｘ方向側の端部が、傾斜部５２３３に当接する。また図示を省略するが、ミラー３２３における−Ｙ方向側で−Ｘ方向側の端部も、傾斜部５２３４に当接する。これら傾斜部５２３３，５２３４に沿ってミラー３２３が−Ｚ方向側に移動され、当該ミラー３２３の光入射面は、溝部５２３１，５２３２の内面における−Ｚ方向側の面（光入射側の基準面ＳＰ）に位置する基準部ＳＴに当接される。
このように、ミラー３２３は、溝部５２３１，５２３２に挿入されることによって、傾斜部５２３３，５２３４により、自動的に基準部ＳＴに対して位置決めされる。
【００５４】
この状態で、蓋部材６が部品収納部材５に取り付けられると、ミラー配置部５２３に応じて設けられた２つの押圧部６３（図７では−Ｘ方向側の押圧部６３は図示省略）の傾斜部６３１が、ミラー３２３における＋Ｙ方向側の端部に当接される。
これら押圧部６３は、上記のように、＋Ｙ方向に弾性変形可能であるので、ミラー３２３を−Ｚ方向側（光入射側）に押圧する。これにより、ミラー３２３の光入射面は、上記基準部ＳＴに当接した状態で押圧付勢され、当該ミラー３２３が保持される。
【００５５】
なお、図示を省略するが、ミラー３２１も、上記傾斜部５２１３，５２１４によって光入射面が、対応する基準部ＳＴに当接されるように位置決めされ、２つの押圧部６３によって、光入射面が当該基準部ＳＴに当接した状態で押圧付勢される。これにより、ミラー３２１が保持される。
また、反射ミラー３３２も、上記傾斜部５３２３，５３２４によって光入射面とは反対側の面が、対応する基準部ＳＴに当接されるように位置決めされ、２つの押圧部６４によって、当該反対側の面が当該基準部ＳＴに当接した状態で押圧付勢される。これにより、反射ミラー３３２が保持される。
【００５６】
［傾斜部の傾斜角］
ここで、図７に示すように、傾斜部５２３３が有する傾斜面ＳＬの延長面Ｐ１と、溝部５２３１の内面のうち基準部ＳＴが位置する基準面ＳＰの延長面Ｐ２との交差角を交差角αとした場合、当該交差角αは、１０°以上、２５°以下の範囲内の角度であることが好ましい。詳述すると、当該交差角αは、１５°以上、２０°以下の範囲内の角度であることが好ましい。これは、以下の理由による。
【００５７】
交差角αが１０°未満の角度である場合、上記傾斜面ＳＬは、基準面ＳＰに略沿う平面となる。この場合、公差等によって、ミラー３２３の厚さ方向（光が通過する方向）の寸法や、傾斜面ＳＬと基準面ＳＰとの間の当該厚さ方向に沿う寸法が設計寸法と異なると、＋Ｙ方向におけるミラー３２３の位置が、交差角αが１０°以上であるときに比べて大きく異なってしまう。例えば、ミラー３２３の厚さ方向の寸法が設計寸法より大きくなると、当該ミラー３２３は、設計上の位置より＋Ｙ方向側にずれ、傾斜面ＳＬと基準面ＳＰとの間の寸法が設計寸法より大きくなると、ミラー３２３は、設計上の位置より−Ｙ方向側にずれる。
【００５８】
一方、交差角αが２５°を超える角度である場合、上記傾斜面ＳＬは、底面部５Ａに沿う方向に傾いた平面となる。この場合、溝部５２３１，５２３２間にミラー３２３を挿入した際に、当該ミラー３２３が、傾斜面ＳＬ上の予期せぬ位置、すなわち、光入射面が上記基準部ＳＴに当接しない位置にて引っ掛かって位置決めされてしまう可能性が生じうる。すなわち、ミラー３２３の位置が、基準部ＳＴに対して離間する方向に、設計上の位置からずれてしまう可能性が生じうる。特に、ミラー３２３等の板状部材は、端部が比較的鋭利となっていることから、このような可能性が高まる。
このように、設計上の位置からずれてミラー３２３が配置された後、上記押圧部６３によってミラー３２３が保持されてしまうと、プロジェクター１に何らかの衝撃が加わった場合にミラー３２３の位置がずれ、当該プロジェクター１（画像投射装置３）による画像投射が適切に行えなくなる可能性がある。
【００５９】
これに対し、上記交差角αが１０°以上、２５°以下の範囲内の角度である場合には、基準部ＳＴに当接した状態でのミラー３２３の＋Ｙ方向における位置、及び、＋Ｚ方向における位置を、設計上の位置に合わせやすくすることができる。
なお、上記交差角αが１５°以上、２０°以下の範囲内の角度である場合には、溝部５２３１，５２３２にミラー３２３を比較的荒く挿入した場合でも、傾斜部５２３３によって、光入射面が基準部ＳＴに当接する位置に、当該ミラー３２３を位置決めできる。このため、人手に依らずに、製造装置によってミラー３２３を溝部５２３１，５２３２内に挿入した場合でも、当該ミラー３２３を位置決めできるので、画像投射装置３、ひいては、プロジェクター１の製造工程を簡略化できる。
【００６０】
また、図示を省略するが、ミラー３２３と当接する傾斜部５２３４も、傾斜面ＳＬの延長面と基準面ＳＰの延長面との交差角が上記範囲内の角度となるように形成されている。ミラー３２１と当接する傾斜部５２１３，５２１４、及び、反射ミラー３３２と当接する傾斜部５３２３，５３２４も同様である。
【００６１】
なお、図７に示すように、傾斜部５２３３の傾斜面ＳＬにおける基準部ＳＴ側の端部ＳＬ１は、ミラー３２３が傾斜面ＳＬ及び基準部ＳＴに当接可能な範囲にて、基準面ＳＰ（基準部ＳＴが位置する面）に対して＋Ｚ方向側（光出射側）に離間している。
また、図示を省略するが、傾斜部５２３４も同様であり、他の傾斜部５２１３，５２１４，５３２３，５３２４も同様である。
【００６２】
［ミラーにおける光入射領域及び遮蔽領域］
図８は、ミラー３２３を光入射側から見た図であり、当該ミラー３２３における光入射領域ＡＲ１及び遮蔽領域ＡＲ２を模式的に示す図である。
図１及び図３に示したように、ミラー３２３には、ミラー３２１及びレンズ３２５を通過した光束（緑色光及び赤色光）が入射される。このミラー３２３は、上記のように、＋Ｘ方向及び＋Ｚ方向に対して４５°傾斜しており、重畳レンズ３１５から当該ミラー３２３の＋Ｘ方向側の端部までの距離は、当該重畳レンズ３１５から−Ｘ方向側の端部までの距離より長い。このため、ミラー３２３の光入射面３２３Ａに入射される光束は、図８において斜線を付して示すように、＋Ｘ方向側が小さく−Ｘ方向側が大きく、丸みを帯びた角部を有する略台形状の光束として入射される。
【００６３】
このような光束が入射されるミラー３２３の光入射領域ＡＲ１に対して、溝部５２３１，５２３２が位置する側壁５Ｂ、傾斜部５２３３，５２３４及び押圧部６３によって光の通過が遮蔽される遮蔽領域ＡＲ２は、外側に位置している。
具体的に、遮蔽領域ＡＲ２のうち、上記側壁５Ｂによって遮蔽される領域は、＋Ｘ方向におけるミラー３２３の両端に位置する。また、傾斜部５２３３，５２３４及び押圧部６３が当接されるとともに、これらによって遮蔽される領域は、ミラー３２３の角部に位置する。すなわち、当該領域は、光入射領域ＡＲ１において丸みを帯びた角部近傍に位置する。
【００６４】
このため、ミラー３２３に入射される光束は、側壁５Ｂ及び傾斜部５２３３，５２３４によって遮蔽されることなく、当該光束の一部（緑色光）が反射され、他の一部（赤色光）が透過される。
このように、上記遮蔽領域ＡＲ２が位置することにより、＋Ｘ方向及び＋Ｙ方向におけるミラー３２３の寸法を、光入射領域ＡＲ１を確保しつつ最小限に抑制できる。
【００６５】
例えば、板ばねや弾性体等の付勢部材ＢＭを溝部５２３１，５２３２の内面とミラー３２３との間に介装して、当該ミラー３２３を上記基準部ＳＴに向けて押圧する場合、図８に示すように、当該付勢部材ＢＭによって押圧される押圧領域ＡＲ３を、ミラー３２３における＋Ｘ方向の両端に確保する必要が生じる。このため、ミラー３２３は、上記の場合に比べて＋Ｘ方向に長くなる。
【００６６】
図９は、画像投射装置３に対する比較例であり、上記付勢部材ＢＭをミラー３２３の保持構造に採用した画像投射装置３Ａの一部を示す平面図である。
また、溝部５２３１，５２３２に挿入されてミラー３２３を押圧する付勢部材ＢＭを備えた画像投射装置３Ａでは、図９に示すように、当該付勢部材ＢＭの脱落を防止する必要がある。このため、溝部５２３１，５２３２の外側で、かつ、他方の溝部側の部位に、付勢部材ＢＭを係止する係止部ＬＰが設けられる。このような係止部ＬＰを設ける場合、ミラー３２３を通過した光束が当該係止部ＬＰによって遮蔽されないように、ミラー３２３において当該係止部ＬＰに応じた部位を、上記光入射領域ＡＲ１（図８参照）から離す必要がある。すなわち、図８に示した光入射領域ＡＲ１と付勢部材ＢＭの配置位置との間の寸法を、＋Ｘ方向に沿って更に広げる必要がある。このため、当該ミラー３２３の＋Ｘ方向における寸法は、より大きくなる。
これに加えて、溝部５２３１，５２３２内に付勢部材ＢＭが配置されるスペースを確保することから、当該溝部５２３１，５２３２の内面において互いに対向する光入射側及び光出射側の各面間の距離を広げる必要がある。このため、部品収納部材５、ひいては、画像投射装置３Ａ（プロジェクター１）が大型化する。
【００６７】
これに対し、本実施形態に係る画像投射装置３では、上記遮蔽領域ＡＲ２に位置する傾斜部５２３３，５２３４及び押圧部６３によって、ミラー３２３を基準部ＳＴに向けて押圧して保持する構成である。このため、上記付勢部材ＢＭを用いる場合に比べて、＋Ｘ方向におけるミラー３２３の寸法を短縮できる。従って、図９に対して図５に示したように、ミラー３２３を小型化できる他、部品収納部材５を小型化でき、ひいては、画像投射装置３（プロジェクター１）を上記画像投射装置３Ａに比べて小型化できる。そして、これにより、ミラー３２３、部品収納部材５、ひいては、画像投射装置３（プロジェクター１）の低コスト化を図ることができる。
なお、図示を省略するが、ミラー３２１及び反射ミラー３３２においても、遮蔽領域ＡＲ２はミラー３２３と同様に設定されるので、これらミラー３２１及び反射ミラー３３２も小型化できる。
【００６８】
［実施形態の効果］
以上説明した本実施形態に係るプロジェクター１によれば、以下の効果がある。
例えば、溝部５２３１，５２３２に挿入されるミラー３２３は、部品収納部材５が有する第１傾斜部としての傾斜部５２３３，５２３４、及び、蓋部材６が有する押圧部６３によって、これら溝部５２３１，５２３２内に位置する基準部ＳＴに当接した状態にて保持される。これによれば、上記板ばね等の付勢部材ＢＭを用いる必要がない。このため、プロジェクター１の部品点数を削減できる。この他、当該付勢部材ＢＭによって押圧される押圧領域ＡＲ３をミラー３２３に設ける必要がないので、ミラー３２３及び部品収納部材５を小型化できる。
従って、これらミラー３２３及び部品収納部材５の製造コストを低減しやすくすることができ、ひいては、プロジェクター１の小型化及び低コスト化を図ることができる。
また、溝部５２１１，５２１２に挿入されるミラー３２１を基準部ＳＴに保持する傾斜部５２３３，５２３４及び押圧部６３によっても奏することができる。溝部５３２１，５３２２に挿入される反射ミラー３３２を基準部ＳＴに保持する傾斜部５３２３，５３２４及び押圧部６４によっても同様である。
【００６９】
例えば、傾斜部５２３３，５２３４は、対応する基準部ＳＴに向かうに従って蓋部材６から離間する方向である−Ｙ方向側（蓋部材６とは反対側）に傾斜している。これによれば、蓋部材６側から溝部５２３１，５２３２に−Ｙ方向に沿って挿入されたミラー３２３を、傾斜部５２３３，５２３４によって基準部ＳＴ側に移動させることができる。従って、基準部ＳＴに当接する位置にミラー３２３を位置させやすくすることができ、当該ミラー３２３の位置決めを容易に実施できる。傾斜部５３２３，５３２４とそれぞれ同様の構成を有し、ミラー３２１を位置決めする傾斜部５２１３，５２１４、及び、反射ミラー３３２を位置決めする傾斜部５３２３，５３２４によっても、同様の効果を奏することができる。
【００７０】
傾斜部５２３３が有する傾斜面ＳＬの延長面Ｐ１と、溝部５２３１の内面のうち基準部ＳＴが位置する基準面ＳＰの延長面Ｐ２との交差角αは、１０°以上、２５°以下の範囲内の角度である。これによれば、上記のように、ミラー３２３を設計上の位置に配置させやすくすることができる。従って、プロジェクター１による画像投射を適切に実施でき、当該プロジェクター１の信頼性を向上させることができる。
なお、傾斜部５２３４の他、ミラー３２１と当接する傾斜部５２１３，５２１４、及び、反射ミラー３３２と当接する傾斜部５３２３，５３２４についても、上記交差角αが、１０°以上、２５°以下の範囲内の角度となるように構成されているので、上記と同様の効果を奏することができる。
【００７１】
ミラー３２１に対応する基準部ＳＴは、溝部５２１１，５２１２の内面において光入射側の面に位置し、ミラー３２３に対応する基準部ＳＴは、溝部５２３１，５２３２の内面において光入射側の面に位置する。一方、反射ミラー３３２に対応する基準部ＳＴは、溝部５３２１，５３２２の内面において光入射側とは反対側の面に位置する。これによれば、ミラー３２１，３２３及び反射ミラー３３２を、照明光軸Ａｘ上の所定位置に、位置させやすくすることができる。
また、各傾斜部５２１３，５２１４，５２３３，５２３４，５３２３，５３２４が、底面部５Ａに位置することにより、対応する溝部に挿入されたミラー３２１，３２３及び反射ミラー３３２を当該各傾斜部５２１３，５２１４，５２３３，５２３４，５３２３，５３２４に当接させやすくすることができる。従って、上記所定位置に、これら３２１，３２３及び反射ミラー３３２を配置しやすくすることができる。
【００７２】
ここで、プロジェクターに適用される光学部品によっては、光入射面が上記照明光軸Ａｘ上の所定位置に位置する必要がある。
これに対し、ミラー３２１，３２３に対応する基準部ＳＴは、当該ミラー３２１，３２３に対して上記光入射側の面に位置する。これによれば、これらミラー３２１，３２３の厚さ寸法（光の入射方向に沿う寸法）に誤差が生じた場合でも、これらの光入射面が上記所定位置に位置するように、ミラー３２１，３２３を配置できる。従って、プロジェクター１による画像投射を適切に実施でき、当該プロジェクター１の信頼性を向上させることができる。
【００７３】
傾斜部５２３３における基準部ＳＴ側の端部は、溝部５２３１の内面において当該基準部ＳＴが位置する面（基準面ＳＰ）から離間している。これによれば、当該傾斜部５２３３においてミラー３２３との当接部位から基準部ＳＴ側の領域がデッドスペースとなることを抑制できるので、部品収納部材５の小型化を図ることができる。従って、部品収納部材５、ひいては、プロジェクター１の低コスト化及び小型化を図ることができる。
【００７４】
傾斜部５２３３及び押圧部６３は、ミラー３２３における光入射領域ＡＲ１の外側に位置し、当該光入射領域ＡＲ１の外側に設定された遮蔽領域ＡＲ２に位置する。これによれば、これら傾斜部５２３３及び押圧部６３によって、ミラー３２３に入射される光や、当該ミラー３２３を通過した光が遮蔽されることを抑制できる。
また、これら傾斜部５２３３及び押圧部６３は、マージンとなっているミラー３２３の隅部近傍に位置して当接するので、ミラー３２３の寸法を最小限の寸法とすることができる。従って、ミラー３２３、ひいては、プロジェクター１の小型化及び低コスト化を図ることができる。
なお、ミラー３２３とそれぞれ当接する傾斜部５２３４及び押圧部６３や、ミラー３２１とそれぞれ当接する傾斜部５２１３，５２１４及び押圧部６３、並びに、反射ミラー３３２とそれぞれ当接する傾斜部５３２３，５３２４及び押圧部６４も同様であるので、上記と同様の効果を奏することができる。
【００７５】
押圧部６３は、ミラー３２１，３２３に当接し、蓋部材６が部品収納部材５と組み合わされた際に、対応する基準部ＳＴに向かうに従って蓋部材６から部品収納部材５に向かう−Ｙ方向への突出量が小さくなる第２傾斜部としての傾斜部６３１（部品収納部材５とは反対側（＋Ｙ方向側）に傾斜する傾斜部６３１）を有する。また、押圧部６４も、傾斜部６３１と同様の第２傾斜部としての傾斜部６４１を有する。これによれば、蓋部材６が部品収納部材５と組み合わされた際に、各傾斜部６３１，６４１によって、ミラー３２１，３２３及び反射ミラー３３２を、対応する基準部ＳＴに押圧できる。従って、これらミラー３２１，３２３及び反射ミラー３３２を確実に保持できる。
【００７６】
蓋部材６は、１つの押圧対象に対して２つの押圧部６３，６４を有する。
例えば、押圧対象であるミラー３２３と当接する押圧部６３のうち、＋Ｘ方向側に位置する押圧部６３は、当該ミラー３２３の＋Ｙ方向側の端部における＋Ｘ方向側の部位を押圧し、−Ｘ方向側に位置する押圧部６３は、当該＋Ｙ方向側の端部における−Ｘ方向側の部位を押圧する。これによれば、２つの押圧部６３が、互いに離れた位置にて１つのミラー３２３を押圧するので、当該ミラー３２３を安定して押圧できる他、上記＋Ｙ方向に沿う軸を中心とするミラー３２３の回動を規制できる。従って、ミラー３２３を安定して保持できる。なお、押圧対象であるミラー３２１と当接する２つの押圧部６３、及び、押圧対象である反射ミラー３３２と当接する２つの押圧部６４によっても、同様の効果を奏することができ、ミラー３２１及び反射ミラー３３２を安定して保持できる。
【００７７】
蓋部材６において、押圧部６２〜６４は、周囲は切り欠かれている。これによれば、＋Ｙ方向における弾性（可撓性）を押圧部６２〜６４に付与できる。従って、蓋部材６が部品収納部材５と組み合わされた際に、押圧部６２〜６４が所定の押圧力でミラーやレンズ等の上記光学部品を押圧できる。従って、簡易な構成にて、これら光学部品を安定して保持できる。
【００７８】
［実施形態の変形］
本発明は、上記実施形態に限定されるものではなく、本発明の目的を達成できる範囲での変形、改良等は本発明に含まれるものである。
上記実施形態では、押圧部６２〜６４の傾斜部６２１〜６４１は、両端が面取りされているとした。しかしながら、これに限らず、当該押圧部６２〜６４は面取りされていなくてもよい。また、傾斜部６２１〜６４１は、平面でなくてもよく、湾曲していてもよい。
【００７９】
図１０は、押圧部６３の変形である押圧部６３Ａを示す斜視図である。
例えば、押圧部６３に代えて、図１０に示す押圧部６３Ａを採用してもよい。
この押圧部６３Ａは、上記押圧部６３Ａと同様に、押圧対象である対象ミラー（例えばミラー３２３）と当接する傾斜部６３１Ａを有する。この傾斜部６３１Ａは、上記傾斜部６３１と同様に、蓋部材６が部品収納部材５と組み合わされた際に、対象ミラーに対応する基準部ＳＴに向かうに従って蓋部材６から部品収納部材５に向かう方向の突出量（−Ｙ方向側への突出量）が小さくなるように形成されている。すなわち、傾斜部６３１Ａは、当該基準部ＳＴに向かうに従って部品収納部材５とは反対側（＋Ｙ方向側）に傾斜している。
【００８０】
一方、傾斜部６３１Ａは、当該傾斜部６３１Ａの表面である傾斜面の面内方向において、当該対象ミラーに向かう＋Ｄ１方向（第１方向）における略中央が膨出した湾曲形状（曲面形状）を有する。この他、傾斜部６３１Ａは、当該面内方向において＋Ｄ１方向に交差する＋Ｄ２方向（例えば、押圧部６３の延出方向であり、第２方向）における略中央が膨出した湾曲形状（曲面形状）を有する。すなわち、傾斜部６３１Ａは、＋Ｄ１方向及び＋Ｄ２方向に沿って湾曲した楕円曲面状に形成されている。
このような押圧部６３Ａが上記押圧部６３に代えて採用された場合には、傾斜部６３１Ａが上記対象ミラーの端部に引っ掛かることを抑制できる。従って、当該対象ミラーを基準部ＳＴに確実に押圧でき、当該対象ミラーを確実に保持できる。
なお、傾斜部６３１Ａは、＋Ｄ１方向及び＋Ｄ２方向の一方の方向のみに湾曲していてもよい。
【００８１】
上記実施形態では、第１傾斜部としての傾斜部５２１３，５２１４，５２３３，５２３４，５３２３，５３２４及び押圧部６３，６４によって、対応する基準部ＳＴに押圧保持される光学部品として、ミラー３２１，３２３及び反射ミラー３３２を挙げた。しかしながら、傾斜部及び押圧部による押圧対象は、これらに限らず、上記した均一化装置３１、色分離装置３２及びリレー装置３３を構成するレンズや、フィールドレンズ３４１等のレンズであってもよい。また、画像投射装置３が他のレンズを有する場合には、当該他のレンズを上記押圧対象としてもよい。すなわち、押圧対象となる光学部品の種類は問わない。
【００８２】
上記実施形態では、傾斜部５２１３，５２１４，５２３３，５２３４，５３２３，５３２４は、押圧対象のミラーに対応する基準部ＳＴに向かうに従って蓋部材６から離間する方向（−Ｙ方向）に傾斜しているとした。また、押圧部６３，６４の傾斜部６３１，６４１も、押圧対象のミラーに対応する基準部ＳＴに向かうに従って蓋部材６から部品収納部材５に向かう方向の突出量が小さくなるように＋Ｙ方向側に傾斜しているとした。しかしながら、これに限らず、傾斜部が基準部に当接する位置に押圧対象を位置させることが可能であれば、各傾斜部の傾斜方向は、他の方向でもよい。また、傾斜部５２１３，５２１４，５２３３，５２３４，５３２３，５３２４は、底面部５Ａに位置しているとしたが、これに限らず、側壁５Ｂに位置していてもよい。
【００８３】
上記実施形態では、傾斜部５２１３，５２１４，５２３３，５２３４，５３２３，５３２４は、上記交差角αが１０°以上、２５°以下の範囲内の角度となるように形成されているとした。しかしながら、これに限らず、押圧対象の種類等によって交差角αが、当該範囲外の角度となるように、傾斜部を形成してもよい。また、押圧部６３，６４の傾斜部６３１，６４１の傾斜方向においても同様である。
【００８４】
上記実施形態では、ミラー３２１，３２３に応じた基準部ＳＴは、これらミラー３２１，３２３が挿入される溝部の内面において光入射側の面（基準面ＳＰ）に位置するとした。しかしながら、これに限らず、当該基準部ＳＴは、光出射側の面に位置していてもよい。一方、反射ミラー３３２に応じた基準部ＳＴは、溝部５３２１，５３２２における光入射側とは反対側の面に位置するとした。しかしながら、これに限らず、当該基準部ＳＴは、光入射側の面に位置していてもよい。
【００８５】
上記実施形態では、傾斜部５２１３，５２１４，５２３３，５２３４，５３２３，５３２４において対応する基準部ＳＴ側の端部（例えば、傾斜部５２３３における端部ＳＬ１）は、当該基準部ＳＴが位置する面（基準面ＳＰ）から離間しているとした。しかしながら、これに限らず、当該基準部ＳＴ側の端部は、当該基準部ＳＴが位置する面と接続されていてもよい。
【００８６】
上記実施形態では、傾斜部５２１３，５２１４，５２３３，５２３４，５３２３，５３２４及び押圧部６３，６４は、押圧対象のミラーにおける光入射領域の外側部分に当接するとした。しかしながら、これに限らず、これら傾斜部及び押圧部の当接部位は、例えば、入射光量が低い位置や、画像形成に利用されない光が入射される位置等、一部の光が入射される位置であってもよい。
【００８７】
上記実施形態では、１つの押圧対象に対して、２つの傾斜部（第１傾斜部）及び２つの押圧部が設けられていた。しかしながら、これに限らず、当該押圧対象を基準部に押圧する構成は、３つであってもよい。例えば、１つの押圧対象にて、２つの傾斜部及び１つの押圧部が設けられていてもよく、１つの押圧対象に対して、１つの傾斜部及び２つの押圧部が設けられてもよい。また、１つの押圧対象を基準部に適切に押圧して保持可能であれば、当該１つの傾斜部及び１つの押圧部が設けられる構成としてもよい。
【００８８】
上記実施形態では、押圧部６２〜６４は、周囲が切り欠かれることによって、＋Ｙ方向に沿って弾性変形可能な弾性が付与されているとした。しかしながら、これに限らず、押圧部６２〜６４において傾斜部６２１〜６４１が位置する部位に弾性体を設ける等して、これら押圧部６２〜６４が押圧対象を基準部ＳＴに押圧付勢する構成としてもよい。更に、押圧対象が基準部ＳＴに当接した状態を維持できれば、押圧部６２〜６４は必ずしも当該押圧対象を基準部ＳＴに付勢しなくてもよい。すなわち、押圧部６２〜６４は、弾性を有しなくてもよい。
【００８９】
上記実施形態では、プロジェクター１は、３つの光変調装置３４３（３４３Ｒ，３４３Ｇ，３４３Ｂ）を備える構成とした。しかしながら、これに限らず、２つ以下、あるいは、４つ以上の光変調装置を用いたプロジェクターにも、本発明を適用可能である。
上記実施形態では、画像投射装置３は、図１にて示した平面視略Ｌ字形状を有した構成を説明した。しかしながら、これに限らず、画像投射装置３は、例えば、平面視略Ｕ字形状を有した構成を採用してもよい。また、画像投射装置３に採用される光学部品も、図１にて示した構成に限らず、他の構成及びレイアウトを採用してもよい。
【００９０】
上記実施形態では、光入射面と光出射面とが異なる透過型の液晶パネルを有する光変調装置４４２を採用したが、光入射面と光出射面とが同一となる反射型の液晶パネルを有する光変調装置を採用してもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を採用してもよい。
【符号の説明】
【００９１】
１…プロジェクター、３…画像投射装置、３２１，３２３…ダイクロイックミラー（光学部品）、３３２…反射ミラー（光学部品）、４…光学部品用筐体、５…部品収納部材（部品収容部材）、５Ａ…底面部、５Ｂ…側壁、５Ｃ…開口部、５２１，５２３，５３２…ミラー配置部、５２１１，５２１２，５２３１，５２３２，５３２１，５３２２…溝部、５２１３，５２１４，５２３３，５２３４，５３２３，５３２４…傾斜部（第１傾斜部）、６…蓋部材、６３，６４…押圧部、６３１，６４１…傾斜部（第２傾斜部）、α…交差角、ＡＲ１…光入射領域、Ｐ１，Ｐ２…延長面、ＳＬ…傾斜面、ＳＬ１…端部、ＳＰ…基準面（基準部が位置する面）、ＳＴ…基準部、＋Ｄ１…方向（第１方向）、＋Ｄ２…方向（第２方向）。
【図１】
2018151460.tif 000003
【図２】
2018151460.tif 000004
【図３】
2018151460.tif 000005
【図４】
2018151460.tif 000006
【図５】
2018151460.tif 000007
【図６】
2018151460.tif 000008
【図７】
2018151460.tif 000009
【図８】
2018151460.tif 000010
【図９】
2018151460.tif 000011
【図１０】
2018151460.tif 000012